(57)【要約】【課題】表示品質を損なうことなくモアレ現象の発現が十分に抑制された反射型表示装置及びその製造方法を提供すること。【解決手段】対向する２枚の基板間に表示媒体が封入されている、反射型表示装置であって、前記２枚の基板間に配置された複数の領域を区画する隔壁と、前記隔壁と、少なくとも一方の基板と、の間に配置された接着層と、前記隔壁で区画された各領域をセルとして、各セル内に配置された前記表示媒体と、を備え、前記隔壁の少なくとも一部の分岐点は、同一形状の単位パターンを規則的に配列して基準パターンとした時、当該基準パターンの分岐点を起点として延出する当該基準パターンの各辺の方向に当該辺の延出長さの１／２の所定倍を最大変位として規定される領域内に位置し、且つ、前記基準パターンの分岐点とは重なっておらず、前記セルの角部の角度は、いずれも９０度以上であることを特徴とする反射型表示装置。【選択図】図６
2014219639.tif 000002
【特許請求の範囲】
【請求項１】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に前記表示媒体が所望の表示をする、反射型表示装置であって、
前記２枚の基板間に配置された複数の領域を区画する隔壁と、
前記隔壁と、少なくとも一方の基板と、の間に配置された接着層と、
前記隔壁で区画された各領域をセルとして、各セル内に配置された前記表示媒体と、
を備え、
前記隔壁の少なくとも一部の分岐点は、同一形状の単位パターンを規則的に配列して基準パターンとした時、当該基準パターンの分岐点を起点として延出する当該基準パターンの各辺の方向に当該辺の延出長さの１／２の所定倍を最大変位として規定される領域内に位置し、且つ、前記基準パターンの分岐点とは重なっておらず、
前記セルの角部は、いずれも９０度以上の角度を有している
ことを特徴とする反射型表示装置。
【請求項２】
前記所定倍は、１００％以下である
ことを特徴とする請求項１に記載の反射型表示装置。
【請求項３】
前記所定倍は、７０％未満である
ことを特徴とする請求項２に記載の反射型表示装置。
【請求項４】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に前記表示媒体が所望の表示をする、反射型表示装置であって、
前記２枚の基板間に配置された複数の領域を区画する隔壁と、
前記隔壁と、少なくとも一方の基板と、の間に配置された接着層と、
前記隔壁で区画された各領域をセルとして、各セル内に配置された前記表示媒体と、
を備え、
前記隔壁のパターンは、同一形状の単位パターンを規則的に配列して基準パターンとした時、当該基準パターンの各分岐点と、当該基準パターンに対応するピッチを有する格子パターンの各格子点と、を関連づけ、前記格子パターンの各行ないし各列を当該行の方向ないし列の方向に拡大ないし縮小させることにより当該格子パターンの格子点を移動させると共に、当該格子点の移動に対応させて当該格子点に関連づけられた各分岐点をも移動させて得られるパターンであり、
前記セルの角部は、いずれも９０度以上の角度を有している
ことを特徴とする反射型表示装置。
【請求項５】
前記セルの面積分布率は、３８．４％未満である
ことを特徴とする請求項４に記載の反射型表示装置。
【請求項６】
前記隔壁のパターンは、同一形状の単位パターンを規則的に配列して基準パターンとした時、当該基準パターンの各分岐点と、当該基準パターンに対応するピッチを有する格子パターンの各格子点と、を関連づけ、前記格子パターンの各行ないし各列を当該行の方向ないし列の方向に非周期的に拡大ないし縮小させることにより当該格子パターンの格子点を移動させると共に、当該格子点の移動に対応させて当該格子点に関連づけられた各分岐点をも移動させて得られるパターンである
ことを特徴とする請求項４または５に記載の反射型表示装置。
【請求項７】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に前記表示媒体が所望の表示をする、反射型表示装置であって、
前記２枚の基板間に配置された複数の領域を区画する隔壁と、
前記隔壁と、少なくとも一方の基板と、の間に配置された接着層と、
前記隔壁で区画された各領域をセルとして、各セル内に配置された前記表示媒体と、
を備え、
前記隔壁の少なくとも一部の分岐点は、同一形状の単位パターンを規則的に配列して第１基準パターンとした時、当該第１基準パターンを変形させて第２基準パターンとして、当該第２基準パターンの分岐点を起点として延出する当該第２基準パターンの各辺の方向に当該辺の延出長さの１／２の所定倍を最大変位として規定される領域内に位置し、且つ、前記第２基準パターンの分岐点とは重なっておらず、
前記セルの角部は、いずれも９０度以上の角度を有している
ことを特徴とする反射型表示装置。
【請求項８】
前記セルの面積分布率は、３８．４％未満である
ことを特徴とする請求項７に記載の反射型表示装置。
【請求項９】
前記第２基準パターンは、前記第１基準パターンに対応するピッチを有する格子パターンの各格子点と、前記第１基準パターンの各分岐点と、を関連づけ、前記格子パターンの各行ないし各列を当該行の方向ないし列の方向に拡大ないし縮小させることにより当該格子パターンの格子点を移動させると共に、当該格子点の移動に対応させて当該格子点に関連づけられた各分岐点をも移動させて得られるパターンである
ことを特徴とする請求項７または８に記載の反射型表示装置。
【請求項１０】
前記第２基準パターンは、前記第１基準パターンに対応するピッチを有する格子パターンの各格子点と、前記第１基準パターンの各分岐点と、を関連づけ、前記格子パターンの各行ないし各列を当該行の方向ないし列の方向に非周期的に拡大ないし縮小させることにより当該格子パターンの格子点を移動させると共に、当該格子点の移動に対応させて当該格子点に関連づけられた各分岐点をも移動させて得られるパターンである
ことを特徴とする請求項９に記載の反射型表示装置。
【発明の詳細な説明】
【技術分野】
【０００１】
本発明は、電子ペーパー等に応用されている反射型表示装置に関する。
【背景技術】
【０００２】
反射型表示装置として、最近、表示媒体に含まれる電気応答性材料として電気泳動体を用いた電気泳動表示装置が広く用いられている。電気泳動表示装置とは、空気中または溶媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。電気泳動体としては、荷電粒子の他、荷電粉体をも利用され得る。その場合、当該荷電粉体は気体中を電気的に泳動する。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
電気泳動表示装置では、しかし、粒子や粉体の沈降や偏在に起因して、表示の不良、特にコントラストの低下が生じることがある。この現象を防止するべく、上下の電極基板間に隔壁を形成して、電気泳動する粒子や粉体の泳動空間、すなわち移動空間を微小な空間に分割することが採用されている。この微小な空間は、セルと呼ばれている。各セルの中に、電気泳動体を含むインキやガス（表示媒体）が封入されている。例えば特許文献１（特開２００５−２０２２４５号公報）及び特許文献２（特開２００５−２４８６８号公報）には、そのようなタイプの電気泳動表示装置の従来例が開示されている。
【先行技術文献】
【特許文献】
【０００５】
【特許文献１】特開２００５−２０２２４５号公報
【特許文献２】特開２００５−２４８６８号公報
【発明の概要】
【発明が解決しようとする課題】
【０００６】
本件発明者は、隔壁の形成方法について鋭意研究を重ねるうち、以下のような知見を得るに至った。
【０００７】
前述のような反射型表示装置において、隔壁は、表示媒体に含まれる電気応答性材料の電気的な泳動の状態を制御して所望の表示を実現するために基板上に設けられた画素電極の上に配置される。画素電極は、一般的には、全体として長方形を成すようにマトリックス状のパターンで周期的に整列されている必要がある。このため、隔壁も周期性を有するパターンで形成されている場合、隔壁を画素電極の上に配置する際に両者のパターンが精密にアライメントされないと（両者のパターンの位置がずれてしまうと）、モアレ現象が発現して、表示品質を損ねてしまう。特に高精細かつ大画面の反射型表示装置を製造する際には、より一層アライメント精度が重要である。
【０００８】
このようなモアレ現象の発現を抑制するために、隔壁のパターンとして周期性のないパターン、すなわちランダムなパターン、を採用することが考えられる。しかし、鋭角の角部を有するセルが形成されてしまうと、この鋭角の角部内に、隔壁上に基板を接着させるための接着剤が毛細管現象によって侵入したり、表示媒体の粒子が詰まると、点状の表示欠損が生じてしまったり、表示コントラストが低下してしまう。また、接着剤が侵入した角部の付近の隔壁上には、図１２に示すように、接着剤が厚く盛られてしまう傾向にある。一部の隔壁上に接着剤が厚く盛られてしまうと、接着層に基板を接着させる際に、厚く盛られた接着剤が邪魔をして、接着層の全面に十分な圧力が与えられず、接着層と基板との間の接着強度が所望の程度以上にならない、という状況が生じることがある。さらに、表示媒体に含まれる粒子の粒径のバラツキが大きく、当該表示媒体のセル内への封入が例えば図１４に示すようにセル容積を超える表示媒体を追い出しながら行われる場合には、各セルの体積、したがって開口面積（セル面積）のバラツキが大きすぎると、図１５に示すようにセル毎の表示の濃淡の差が大きく異なってしまって、いわゆるザラツキムラと呼ばれる表示ムラが発生してしまうことがある。
【０００９】
本発明は、このような事情に基づいて行われたものであり、その目的は、表示品質を損なうことなくモアレ現象の発現が十分に抑制された反射型表示装置、及び、その製造方法であってセル面積のバラツキを制御可能な反射型表示装置の製造方法を提供することにある。
【課題を解決するための手段】
【００１０】
本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に前記表示媒体が所望の表示をする、反射型表示装置であって、前記２枚の基板間に配置された複数の領域を区画する隔壁と、前記隔壁と、少なくとも一方の基板と、の間に配置された接着層と、前記隔壁で区画された各領域をセルとして、各セル内に配置された前記表示媒体と、を備え、前記隔壁の少なくとも一部の分岐点は、同一形状の単位パターンを規則的に配列して基準パターンとした時、当該基準パターンの分岐点を起点として延出する当該基準パターンの各辺の方向に当該辺の延出長さの１／２の所定倍を最大変位として規定される領域内に位置し、且つ、前記基準パターンの分岐点とは重なっておらず、前記セルの角部は、いずれも９０度以上の角度を有していることを特徴とする反射型表示装置である。
【００１１】
あるいは、本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に前記表示媒体が所望の表示をする、反射型表示装置であって、前記２枚の基板間に配置された複数の領域を区画する隔壁と、前記隔壁と、少なくとも一方の基板と、の間に配置された接着層と、前記隔壁で区画された各領域をセルとして、各セル内に配置された前記表示媒体と、を備え、前記隔壁のパターンは、同一形状の単位パターンを規則的に配列して基準パターンとした時、当該基準パターンの各分岐点と、当該基準パターンに対応するピッチを有する格子パターンの各格子点と、を関連づけ、前記格子パターンの各行ないし各列を当該行の方向ないし列の方向に拡大ないし縮小させることにより当該格子パターンの格子点を移動させると共に、当該格子点の移動に対応させて当該格子点に関連づけられた各分岐点をも移動させて得られるパターンであり、前記セルの角部は、いずれも９０度以上の角度を有していることを特徴とする反射型表示装置である。
【００１２】
好ましくは、前記隔壁のパターンは、同一形状の単位パターンを規則的に配列して基準パターンとした時、当該基準パターンの各分岐点と、当該基準パターンに対応するピッチを有する格子パターンの各格子点と、を関連づけ、前記格子パターンの各行ないし各列を当該行の方向ないし列の方向に非周期的に拡大ないし縮小させることにより当該格子パターンの格子点を移動させると共に、当該格子点の移動に対応させて当該格子点に関連づけられた各分岐点をも移動させて得られるパターンである。
【００１３】
あるいは、本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に前記表示媒体が所望の表示をする、反射型表示装置であって、前記２枚の基板間に配置された複数の領域を区画する隔壁と、前記隔壁と、少なくとも一方の基板と、の間に配置された接着層と、前記隔壁で区画された各領域をセルとして、各セル内に配置された前記表示媒体と、を備え、前記隔壁の少なくとも一部の分岐点は、同一形状の単位パターンを規則的に配列して第１基準パターンとした時、当該第１基準パターンを変形させて第２基準パターンとして、当該第２基準パターンの分岐点を起点として延出する当該第２基準パターンの各辺の方向に当該辺の延出長さの１／２の所定倍を最大変位として規定される領域内に位置し、且つ、前記第２基準パターンの分岐点とは重なっておらず、前記セルの角部は、いずれも９０度以上の角度を有していることを特徴とする反射型表示装置である。
【００１４】
好ましくは、前記第２基準パターンは、前記第１基準パターンに対応するピッチを有する格子パターンの各格子点と、前記第１基準パターンの各分岐点と、を関連づけ、前記格子パターンの各行ないし各列を当該行の方向ないし列の方向に拡大ないし縮小させることにより当該格子パターンの格子点を移動させると共に、当該格子点の移動に対応させて当該格子点に関連づけられた各分岐点をも移動させて得られるパターンである。この場合、隔壁のパターンの比較対象として用いられる第２基準パターンは、周期性を有する第１基準パターンの周期性が乱されるように変形された非周期的なパターンである。
【００１５】
好ましくは、前記第２基準パターンは、前記第１基準パターンに対応するピッチを有する格子パターンの各格子点と、前記第１基準パターンの各分岐点と、を関連づけ、前記格子パターンの各行ないし各列を当該行の方向ないし列の方向に非周期的に拡大ないし縮小させることにより当該格子パターンの格子点を移動させると共に、当該格子点の移動に対応させて当該格子点に関連づけられた各分岐点をも移動させて得られるパターンである。
【００１６】
あるいは、本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に前記表示媒体が所望の表示をする、反射型表示装置、を製造する方法であって、一方の基板上に複数の領域を区画する隔壁を形成する隔壁形成工程と、前記隔壁の頂面上に接着剤を付着させて接着層を形成する接着層形成工程と、前記一方の基板または他方の基板上に前記表示媒体を配置する表示媒体配置工程と、前記表示媒体が配置された後に、前記隔壁で区画された各領域をセルとして、前記表示媒体が各セル内に封止されるよう、前記接着層上に前記他方の基板を接着する対向基板接着工程と、を備え、前記隔壁形成工程は、前記隔壁のパターンを、同一形状の単位パターンを規則的に配列して形成されたパターンを基準パターンとして仮形成し、仮形成された前記隔壁のパターンの少なくとも一部の分岐点について、当該分岐点を起点として延出する各辺の方向に当該辺の延出長さの１／２の所定倍を最大変位として規定される領域内で変位させて最終の前記隔壁のパターンを形成する最終隔壁パターン形成工程と、最終の前記隔壁のパターンの角部がいずれも９０度以上の角度を有していることを確認する角度確認工程と、を含んでいることを特徴とする反射型表示装置の製造方法である。
【００１７】
例えば、前記角度確認工程において、最終の前記隔壁のパターンの角部のいずれかが９０度未満の角度を有していることが確認された場合には、当該角部上の最終の前記隔壁のパターンの分岐点について、当該分岐点を当該角部の角度が９０度以上となるように変位させ、当該変位された分岐点の周りに位置する最終の前記隔壁のパターンで囲まれる各領域が有する角部のうち、当該変位された分岐点を起点として延出する各辺上にある角部がいずれも９０度以上の角度を有していることを確認する。
【００１８】
好ましくは、前記最終隔壁パターン形成工程において、仮形成された前記隔壁のパターンの少なくとも一部の分岐点について、当該分岐点を起点として延出する各辺の方向に当該辺の延出長さの１／２の所定倍を最大変位として規定される領域内で非周期的に変位させて、最終の前記隔壁のパターンを形成する。
【００１９】
あるいは、本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に前記表示媒体が所望の表示をする、反射型表示装置、を製造する方法であって、一方の基板上に複数の領域を区画する隔壁を形成する隔壁形成工程と、前記隔壁の頂面上に接着剤を付着させて接着層を形成する接着層形成工程と、前記一方の基板または他方の基板上に前記表示媒体を配置する表示媒体配置工程と、前記表示媒体が配置された後に、前記隔壁で区画された各領域をセルとして、前記表示媒体が各セル内に封止されるよう、前記接着層上に前記他方の基板を接着する対向基板接着工程と、を備え、前記隔壁形成工程は、前記隔壁のパターンを、同一形状の単位パターンを規則的に配列して形成されたパターンを基準パターンとして仮形成し、仮形成された前記隔壁のパターンの各分岐点と、前記基準パターンに対応するピッチを有する格子パターンの各格子点と、を関連づけ、前記格子パターンの各行ないし各列を当該行の方向ないし列の方向に拡大ないし縮小させることにより当該格子パターンの格子点を移動させると共に、当該格子点の移動に対応させて当該格子点に関連づけられた各分岐点をも移動させて最終の前記隔壁のパターンを形成する最終隔壁パターン形成工程と、最終の前記隔壁のパターンの角部がいずれも９０度以上の角度を有していることを確認する角度確認工程と、を含んでいることを特徴とする反射型表示装置の製造方法である。
【００２０】
例えば、前記角度確認工程において、最終の前記隔壁のパターンの角部のいずれかが９０度未満の角度を有していることが確認された場合には、当該角部上の最終の前記隔壁のパターンの分岐点について、当該分岐点を当該角部の角度が９０度以上となるように変位させ、当該変位された分岐点の周りに位置する最終の前記隔壁のパターンで囲まれる各領域が有する角部のうち、当該変位された分岐点を起点として延出する各辺上にある角部がいずれも９０度以上の角度を有していることを確認する。
【００２１】
また、例えば、前記角度確認工程において、最終の前記隔壁のパターンの角部のいずれかが９０度未満の角度を有していることが確認された場合には、前記最終隔壁パターン形成工程を再度実施する。
【００２２】
好ましくは、最終隔壁パターン形成工程において、前記隔壁のパターンを、同一形状の単位パターンを規則的に配列して形成されたパターンを基準パターンとして仮形成し、仮形成された当該隔壁のパターンの各分岐点と、前記基準パターンに対応するピッチを有する格子パターンの各格子点と、を関連づけ、前記格子パターンの各行ないし各列を当該行の方向ないし列の方向に非周期的に拡大ないし縮小させることにより当該格子パターンの格子点を移動させると共に、当該格子点の移動に対応させて当該格子点に関連づけられた各分岐点をも移動させる。
【００２３】
あるいは、本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に前記表示媒体が所望の表示をする、反射型表示装置、を製造する方法であって、一方の基板上に複数の領域を区画する隔壁を形成する隔壁形成工程と、前記隔壁の頂面上に接着剤を付着させて接着層を形成する接着層形成工程と、前記一方の基板または他方の基板上に前記表示媒体を配置する表示媒体配置工程と、前記表示媒体が配置された後に、前記隔壁で区画された各領域をセルとして、前記表示媒体が各セル内に封止されるよう、前記接着層上に前記他方の基板を接着する対向基板接着工程と、を備え、前記隔壁形成工程は、前記隔壁のパターンを、同一形状の単位パターンを規則的に配列して形成されたパターンを第１基準パターンとして仮形成し、仮形成された当該隔壁のパターンを変形させて第２基準パターンとして再度仮形成し、再度仮形成された前記隔壁のパターンの少なくとも一部の分岐点について、当該分岐点を起点として延出する各辺の方向に当該辺の延出長さの１／２の所定倍を最大変位として規定される領域内で変位させて最終の前記隔壁のパターンを形成する、最終隔壁パターン形成工程と、最終の前記隔壁のパターンの角部がいずれも９０度以上の角度を有していることを確認する角度確認工程と、を含んでいることを特徴とする反射型表示装置の製造方法である。
【００２４】
例えば、前記角度確認工程において、最終の前記隔壁のパターンのいずれかの角部の角度が９０度未満であることが確認された場合には、当該角部上の最終の前記隔壁のパターンの分岐点について、当該分岐点を起点として延出する各辺の方向に当該辺の延出長さの１／２の所定倍を最大変位として規定される領域内で変位させ、当該変位された分岐点の周りに位置する最終の前記隔壁のパターンで囲まれる各領域の角部のうち当該変位された分岐点を起点として延出する各辺上にある角部の角度がいずれも９０度以上であることを確認する。  
【００２５】
好ましくは、最終隔壁パターン形成工程において、前記隔壁のパターンを、同一形状の単位パターンを規則的に配列して形成されたパターンを第１基準パターンとして仮形成し、仮形成された当該隔壁のパターンを変形させて第２基準パターンとして再度仮形成し、再度仮形成された前記隔壁のパターンの少なくとも一部の分岐点について、当該分岐点を起点として延出する各辺の方向に当該辺の延出長さの１／２の所定倍を最大変位として規定される領域内で非周期的に変位させて、最終の前記隔壁のパターンを形成する。
【００２６】
好ましくは、最終隔壁パターン形成工程において、前記第１基準パターンにより仮形成された前記隔壁のパターンの各分岐点と、当該第１基準パターンに対応するピッチを有する格子パターンの各格子点と、を関連づけ、前記格子パターンの各行ないし各列を当該行の方向ないし列の方向に拡大ないし縮小させることにより当該格子パターンの格子点を移動させると共に、当該格子点の移動に対応させて当該格子点に関連づけられた各分岐点をも移動させて、仮形成された前記隔壁のパターンを変形させる。この場合、第２基準パターンは、第１基準パターンの周期性が乱されるように変形されたパターンである。
【００２７】
好ましくは、最終隔壁パターン形成工程において、前記第１基準パターンにより仮形成された前記隔壁のパターンの各分岐点と、当該第１基準パターンに対応するピッチを有する格子パターンの各格子点と、を関連づけ、前記格子パターンの各行ないし各列を当該行の方向ないし列の方向に非周期的に拡大ないし縮小させることにより当該格子パターンの格子点を移動させると共に、当該格子点の移動に対応させて当該格子点に関連づけられた各分岐点をも移動させて、仮形成された前記隔壁のパターンを変形させる。
【００２８】
例えば、前記角度確認工程において、最終の前記隔壁のパターンの角部のいずれかが９０度未満の角度を有していることが確認された場合には、前記最終隔壁パターン形成工程を再度実施する。
【発明の効果】
【００２９】
本発明によれば、表示品質を損なうことなくモアレ現象の発現が十分に抑制された反射型表示装置、及び、モアレ現象の発現を抑制し得る反射型表示装置の製造方法を提供することにある。
【図面の簡単な説明】
【００３０】
【図１】図１は、本発明の第１の実施の形態による反射型表示装置の構成を概略的に示す断面図である。
【図２】図２は、図１に示す反射型表示装置の他方の基板上に形成された画素電極を示す平面図である。
【図３】図３は、本発明の第１の実施の形態による反射型表示装置の製造方法を概略的に示すフロー図である。
【図４】図４は、隔壁形成工程の一例を概略的に示す図である。
【図５】図５は、隔壁の頂面の幅の定義について説明する図である。
【図６】図６は、隔壁形成工程において、基準パターンから最終の隔壁のパターンを形成する方法を説明するための図。詳しくは、図６（ａ）が、正六角形のハニカムパターンを基準パターンとして最終の隔壁のパターンを形成する方法を説明するための図であり、図６（ｂ）が、「基準パターンの分岐点を起点として延出する当該基準パターンの各辺の方向に当該辺の延出長さの１／２の所定倍を最大変位として規定される領域」を説明するための図であり、図６（ｃ）が、正方格子パターンを基準パターンとして最終の隔壁のパターンを形成する方法を説明するための図である。
【図７】図７は、仮形成された隔壁のパターンの分岐点をランダムに変位させる場合の、ランダム度に応じた当該分岐点の変位範囲を説明するための図。
【図８】図８は、ランダム度の違いによる最終の隔壁のパターンの違いを説明するための図。詳しくは、図８（ａ）が、ランダム度が３０％の場合の最終の隔壁のパターンを示す図であり、図８（ｂ）が、ランダム度が５０％の場合の最終の隔壁のパターンを示す図であり、図８（ｃ）が、ランダム度が７０％の場合の最終の隔壁のパターンを示す図であり、図８（ｄ）が、ランダム度が９０％の場合の最終の隔壁のパターンを示す図である。
【図９】図９は、モアレ現象の発現を効果的に抑制するための隔壁の最低移動距離を説明するための図である。詳しくは、図９（ａ）が、隔壁の線幅を等分する隔壁中心線が隣り合う画素電極の対向する縁部の間隔を等分する電極間中心線と一致するように隔壁が画素電極側の基板上に配置されている様子を示す図であり、図９（ｂ）が、図９（ａ）の隔壁が当該画素電極間の領域と重ならない位置にまで、すなわち隔壁の一方の画素電極側の縁部が他方の画素電極の当該画素電極間の領域側の縁部と一致するように、変位された様子を示す図である。
【図１０】図１０は、図９に示された距離だけ変位される隔壁を含むための、仮形成パターンの分岐点の最低変位範囲を説明するための図である。
【図１１】図１１は、１つの分岐点を起点として延出する隔壁によって当該分岐点の周囲に構成される角部のいずれもが９０度以上の角度を有している場合の、当該分岐点の周囲における隔壁への接着剤の付着状況を説明するための図である。詳しくは、図１１（ａ）が当該分岐点の周囲の隔壁に付着した接着剤の平面図であり、図１１（ｂ）が図１１（ａ）の１１ｂ−１１ｂ線断面図である。
【図１２】図１２は、１つの分岐点を起点として延出する隔壁によって当該分岐点の周囲に構成される角部のいずれかが９０度未満の角度尾を有している場合の、当該分岐点の周囲における隔壁への接着剤の付着状況を説明するための図である。詳しくは、図１２（ａ）が当該分岐点の周囲の隔壁に付着した接着剤の平面図であり、図１２（ｂ）が図１２（ａ）の１２ｂ−１２ｂ線断面図であって、角度が９０度未満の角部に接着剤が侵入している状態を示す図である。
【図１３】図１３は、最終の隔壁のパターンが９０度未満の角度を有する角部を含む場合に、当該角部上に位置する分岐点の位置を調節する方法を説明するための図である。
【図１４】図１４は、ザラツキムラの発生のメカニズムを説明するための図である。
【図１５】図１５は、ザラツキムラの発生したパネルにおける表示の濃淡の違いを示す平面図である。
【図１６】図１６は、セル面積分布率の定義を説明するための図である。
【図１７】図１７は、最終の隔壁のパターンに基づいて隔壁を形成する方法を説明するための図である。
【図１８】図１８は、第１の実施の形態による隔壁形成工程で形成された隔壁の一例を示す平面図である。
【図１９】図１９は、第１の実施の形態による隔壁形成工程で形成された隔壁の他の例を示す平面図である。
【図２０】図２０は、接着層形成工程の一例を概略的に示す図である。
【図２１】図２１は、表示媒体配置工程の一例を概略的に示す図である。
【図２２】図２２は、導電性ペーストの機能を説明するための概略図である。
【図２３】図２３は、対向基板配置工程において、一方の基板の隔壁頂面に他方の基板が接着されている様子を示す断面図である。
【図２４】図２４は、本発明の第２の実施の形態による反射型表示装置の製造方法における隔壁の最終パターンの形成方法を説明するための図である。
【発明を実施するための形態】
【００３１】
図１は、本発明の第１の実施の形態による反射型表示装置の構成を概略的に示す断面図である。本実施の形態による反射型表示装置は、少なくとも一方が透光性を有しており各々電極が形成されている対向する２枚の基板間１１，１６に少なくとも１種以上の電気応答性材料を含む表示媒体１３が封入されていて、２枚の基板１１，１６間に所定の電界が与えられる際に表示媒体１３が所望の表示をするようになっている。ここで、本件の明細書及び特許請求の範囲において「透光性」とは、光を透過する性質、という程度の意味である。本実施の形態においては、視認側に配置される基板は、全光透過率が５０％以上、好ましくは８０％以上、さらに好ましくは９０％以上となるような透光性を有している。
【００３２】
図１乃至図２４において、一方の基板１１の面上には、電極が設けられているが、電極の図示は省略されている。本実施の形態においては、一方の基板１１が視認側に配置され、他方の基板１６が非視認側に配置される。
【００３３】
一方の基板１１としては、ポリエチレン（ＰＥ）、ポリエチレンテレフタレート（ＰＥＴ）、ポリエーテルサルフォン（ＰＥＳ）、ポリエチレンナフタレート（ＰＥＮ）等の透明フィルムや透明ガラスに、酸化インジウムスズ（ＩＴＯ）、酸化亜鉛（ＺｎＯ）、酸化スズ（ＳｎＯ）等の透光性を有する電極（透光性電極）１１１を付したものが、典型的に用いられ得る。
【００３４】
透光性電極は、塗工法やスパッタリング、真空蒸着法、ＣＶＤ法等によって形成され得る。透光性電極は、アクティブマトリクス駆動の場合及びセグメント駆動の場合は共通電極として用いられるので、必ずしもパターンが形成されている必要は無く、基板全面が電極であってよい。
【００３５】
一方の基板１１の厚みは、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００３６】
一方の基板１１は、ロール状でもシート状でもどちらでも適用可能である。
【００３７】
他方の基板１６としては、樹脂フィルム、樹脂板、ガラス、エポキシガラス（ガラエポ）等の表示媒体側の面に金属等の導電性材料によって電極が形成されたものが用いられ得る。また他方の基板１６は、透光性を有する基材が用いられてもよい。さらに透光性を有しているが不透明な基材であってもよく、電極面とは異なるもう一方の面を粗面化した不透明なガラス基材、樹脂フィルム、樹脂板、ガラス、エポキシガラス（ガラエポ）等が用いられ得る。本実施の形態では、他方の基板１６は、視認側と反対側の位置に配置されるため、透光性を有している必然性はない。しかし、熱膨張特性など一方の基板１１と同じ物性が必要とされる場合は、一方の基板１１と同様の透光性の部材が使用され得る。
【００３８】
他方の基板１６の厚みも、一方の基板１１の厚みと同様に、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００３９】
他方の基板１６も、ロール状でもシート状でもどちらでも適用可能である。
【００４０】
電極としては、セグメント駆動およびパッシブマトリクス駆動の場合はパターン状の電極、また、アクティブマトリクス駆動の場合はＴＦＴ（Ｔｈｉｎ  Ｆｉｌｍ  Ｔｒａｎｓｉｓｔｏｒ）が配置される画素電極が用いられる。本実施の形態においては、図２に示すように、他方の基板１６上には、矩形の画素電極１６１が、マトリックス状に配列されている。隣り合う画素電極１６１間の行方向及び列方向の間隔は、共に間隔Ｓである。ここで、他方の基板１６上に設けられる電極１６のパターンとしては、マトリックス状のパターン以外のパターンも採用可能であるが、好ましくは、周期性を有するパターンが採用される。
【００４１】
＜反射型表示装置の製造方法１＞
図３は、本発明の第１の実施の形態による反射型表示装置の製造方法を概略的に示すフロー図である。
【００４２】
図４は、隔壁形成工程の一例を概略的に示す図である。図４に示すように、まず、一般には水平方向に載置される一方の基板１１の上面に、例えばフォトリソグラフィ法（紫外線（ＵＶ）照射による露光→現像→焼成）によって、隔壁１２が形成される。隔壁１２は、後述する複数のセルを規定する部材である。
【００４３】
隔壁１２は、紫外線硬化樹脂、熱硬化樹脂、常温硬化樹脂等によって構成可能であり、隔壁１２の形成方法は、フォトリソグラフィ法の他、エンボス加工などの型転写方法も採用され得る。さらに、所望のパターンの構造物を隔壁として製造しておいて、それを一方の基板１１に貼り付けるという方法も採用され得る。
【００４４】
隔壁１２の頂面の幅は、９μｍ〜５０μｍ、好ましくは９μｍ〜２０μｍである。９μｍというのは、隔壁１２が倒れることなくパターニングできる線幅の下限である。隔壁１２の頂面の幅が９μｍ未満である場合、隔壁１２の長さが６０μｍ以上に亘るようなパターンでは、少なくとも隔壁１２の一部が倒れたり、剥がれたり、剥がれた隔壁１２が基板上を移動したりする。そうなった場合には、隔壁１２による粒子の移動を防ぐという機能が失われ、表示品質が劣化してしまう。一方、好適な範囲の上限である５０μｍというのは、目視したときに隔壁１２１が目立ち過ぎない上限である。
【００４５】
ここで、隔壁１２の頂面の幅の定義を、図５に示す。頂面の角が丸まっていなければ、図５（ａ）や図５（ｂ）に示すように、頂面の幅はそのまま定義される。一方、頂面の角が丸まっている場合には、図５（ｃ）や図５（ｄ）に示すように、頂面の延長面と壁面の延長面との交線間の幅として理解される。評価のための測定方法としては、隔壁１２が形成された一方の基板１１を硬化性樹脂にて包埋し、ミクロートーム（大和光機工業株式会社製：ＦＸ−８０１）により隔壁１２の断面を切り出し、走査電子顕微鏡（ＳＥＭ）によって撮影した画像に基づいて各幅を測定することができる。
【００４６】
隔壁１２の厚みは、５〜５０μｍ、好ましくは１０〜５０μｍである。５μｍ以下では、充填するインキ量が少なく、十分な表示特性、特にコントラストが得られない一方、５０μｍ以上では、パネルの厚みが厚すぎて、駆動電圧が上昇し過ぎてしまう。低駆動電圧で良好な表示特性が得られるという観点から、１０〜５０μｍの範囲の厚みが好適である。
【００４７】
図６乃至図１６を参照して、本実施の形態による隔壁１２のパターンの形成方法について説明する。本実施の形態では、隔壁１２のパターンは、隔壁１２の線幅を等分する隔壁１２の中心線（隔壁中心線）を規定するものである。
【００４８】
まず、隔壁１２のパターンは、同一形状の単位パターンを規則的に配列して形成されるパターンを基準パターンとして仮形成される。なお、本件の明細書及び特許請求の範囲においては、「単位パターン」とは、全体のパターン（図６（ａ）の場合であればハニカム状のパターンであり、図６（ｃ）の場合であれば格子状のパターン）によって分割された個々の領域を囲む個々のパターン（図６（ａ）の場合であれば個々の六角形のパターンであり、図６（ｃ）の場合であれば個々の四角形のパターン）である。また、「基準パターン」とは、最終の隔壁パターンを形成する際に基準（基礎）とされるパターンであり、あるいは、その分岐点の位置が、本発明による反射型表示装置の隔壁の分岐点の位置との比較対象とされるパターンである。
【００４９】
本実施の形態では、単位パターンは、図６（ａ）に示すように、正六角形のパターンであり、当該単位パターンによって構成される基準パターンは、正六角形のハニカムパターンである。単位パターン及び基準パターンの形状としては、他の形状も採用可能である。例えば、単位パターンは、図６（ｃ）に示すように、正方形のパターンであってもよく、この場合の基準パターンは、正方格子パターンであってよい。もちろん、単位パターンは、正六角形以外の六角形や正方形以外の四角形であってもよいし、他の多角形であってもよい。
【００５０】
本実施の形態では、基準パターンのピッチは、３００μｍである。ここで、「ピッチ」とは、隣接する単位パターンを重ねるべく移動させるのに必要な距離を意味している。
【００５１】
次に、正六角形のハニカムパターンで仮形成された隔壁１２のパターン（以下「仮形成パターン」という。）の少なくとも一部の分岐点について、当該分岐点を起点として延出する各辺の方向に当該辺の延出長さの１／２の所定倍を最大変位として規定される領域内で変位させて、最終の隔壁１２のパターンを形成する（最終隔壁パターン形成工程）。本実施の形態では、仮形成パターンの全ての分岐点について、当該領域内で、ランダムに変位させる。もっとも、全ての分岐点が変位されなくてもよく、一部の分岐点のみが変位されてもよい。また、分岐点は、ランダムに変位されなくてもよく、一定の規則性をもって変位されてもよい。
【００５２】
ここで、本件の明細書及び特許請求の範囲における「分岐点を起点として延出する（基準パターンの）各辺の方向に当該辺の延出長さの１／２の所定倍を最大変位として規定される領域」の意味を、図６及び図７を参照して説明する。
【００５３】
例えば、図６（ａ）の分岐点Ｋについて「当該分岐点Ｋを起点として延出する辺Ｋ−Ｋ１の方向に当該辺Ｋ−Ｋ１の延出長さの１／２の所定倍を最大変位とする」とは、当該所定倍が１００％の場合、辺Ｋ−Ｋ１の方向の分岐点Ｋの変位量を最大で辺Ｋ−Ｋ１の長さの１／２とする、ということを意味する。すなわち、辺Ｋ−Ｋ１の長さを（Ｋ−Ｋ１）で表すと、図６（ｂ）に示すように、分岐点Ｋから距離１／２（Ｋ−Ｋ１）離れた位置で辺Ｋ−Ｋ１と直交する線Ｌ１００，Ｋ−Ｋ１上まで、分岐点Ｋが辺Ｋ−Ｋ１の方向に変位可能である、ということを意味する。
【００５４】
同様に、図６（ａ）の分岐点Ｋについて「当該分岐点Ｋを起点として延出する辺Ｋ−Ｋ２の方向に当該辺Ｋ−Ｋ２の延出長さの１／２の所定倍を最大変位とする」とは、当該所定倍が１００％の場合、辺Ｋ−Ｋ２の方向の分岐点Ｋの変位量を最大で辺Ｋ−Ｋ２の長さの１／２とする、ということを意味する。すなわち、辺Ｋ−Ｋ２の長さを（Ｋ−Ｋ２）で表すと、図６（ｂ）に示すように、分岐点Ｋから距離１／２（Ｋ−Ｋ２）離れた位置で辺Ｋ−Ｋ２と直交する線Ｌ１００，Ｋ−Ｋ２上まで、分岐点Ｋが辺Ｋ−Ｋ２の方向に変位可能である、ということを意味する。
【００５５】
また、同様に、図６（ａ）の分岐点Ｋについて「当該分岐点Ｋを起点として延出する辺Ｋ−Ｋ３の方向に当該辺Ｋ−Ｋ３の延出長さの１／２の所定倍を最大変位とする」とは、当該所定倍が１００％の場合、辺Ｋ−Ｋ３の方向の分岐点Ｋの変位量を最大で辺Ｋ−Ｋ３の長さの１／２とする、ということを意味する。すなわち、辺Ｋ−Ｋ３の長さを（Ｋ−Ｋ３）で表すと、図６（ｂ）に示すように、分岐点Ｋから距離１／２（Ｋ−Ｋ３）離れた位置で辺Ｋ−Ｋ３と直交する線Ｌ１００，Ｋ−Ｋ３上まで、分岐点Ｋが辺Ｋ−Ｋ３の方向に変位可能である、ということを意味する。
【００５６】
しがたって、図６（ａ）の分岐点Ｋについて「分岐点Ｋを起点として延出する当該基準パターンの各辺Ｋ−Ｋ１，Ｋ−Ｋ２，Ｋ−Ｋ３の方向に当該辺Ｋ−Ｋ１，Ｋ−Ｋ２，Ｋ−Ｋ３の延出長さの１／２の所定倍を最大変位として規定される領域」とは、当該所定倍が１００％の場合、線Ｌ１００，Ｋ−Ｋ１と線Ｌ１００，Ｋ−Ｋ２と線Ｌ１００，Ｋ−Ｋ３とによって囲まれる領域、すなわち図６（ａ）の線Ｌ１００によって囲まれる領域、を意味する。
【００５７】
同様に、図６（ｃ）の仮形成パターンの分岐点Ｋについて「分岐点Ｋを起点として延出する当該基準パターンの各辺Ｋ−Ｋ１，Ｋ−Ｋ２，Ｋ−Ｋ３，Ｋ−Ｋ４の方向に当該辺Ｋ−Ｋ１，Ｋ−Ｋ２，Ｋ−Ｋ３，Ｋ−Ｋ４の延出長さの１／２の所定倍を最大変位として規定される領域」とは、当該所定倍が１００％の場合、当該分岐点Ｋを起点として延出する各辺Ｋ−Ｋ１，Ｋ−Ｋ２，Ｋ−Ｋ３，Ｋ−Ｋ４と、それぞれ、分岐点Ｋから辺Ｋ−Ｋ１、Ｋ−Ｋ２、Ｋ−Ｋ３及びＫ−Ｋ４の長さの１／２倍離れた位置で直交する各線によって囲まれる領域、すなわち図６（ｃ）の線Ｌ１００によって囲まれる領域、を意味する。
【００５８】
より一般的には、「分岐点Ｋを起点として延出する（基準パターンの）各辺Ｋ−Ｋ１，Ｋ−Ｋ２，・・，Ｋ−Ｋｎの方向に当該辺の延出長さの１／２の所定倍を最大変位として規定される領域」とは、当該所定倍がＡ×１００％の場合、当該分岐点Ｋを起点として延出する各辺Ｋ−Ｋ１，Ｋ−Ｋ２，・・，Ｋ−Ｋｎと、それぞれ、分岐点Ｋから辺Ｋ−Ｋ１、Ｋ−Ｋ２、・・及びＫ−Ｋｎの長さのＡ／２倍離れた位置で直交する各線によって囲まれる領域、を意味する。
【００５９】
分岐点Ｋが変位され得る範囲は、図７に示すように、Ａの値が大きいほど大きい。本実施の形態では、分岐点ＫはＡの値によって決定される領域内でランダムに変位されるため、Ａの値が大きいほど、分岐点Ｋのランダムな変位の程度が大きい。
【００６０】
次に、前述の「所定倍」を「ランダム度」と称して、すなわち、
ランダム度（％）＝Ａ×１００
として、基準パターンが図６（ａ）に示す正六角形のハニカムパターンである場合の、ランダム度の違いによる最終の隔壁１２のパターンの違いについて、図８を参照して説明する。なお、以下では、「ランダム度」という用語は、本件の明細書及び特許請求の範囲における「所定倍」という用語と代替可能な用語として用いられる。
【００６１】
図８（ａ）は、ランダム度が３０％の場合の最終の隔壁１２のパターンを示す図であり、図８（ｂ）は、ランダム度が５０％の場合の最終の隔壁１２のパターンを示す図である。また、図８（ｃ）は、ランダム度が７０％の場合の最終の隔壁１２のパターンを示す図であり、図８（ｄ）は、ランダム度が９０％の場合の最終の隔壁１２のパターンを示す図である。
【００６２】
図８（ａ）乃至図８（ｄ）から分かるように、ランダム度が大きいほど、得られる最終の隔壁１２のパターンと、図６（ａ）に示す基準パターンと、の違いが顕著になる。
【００６３】
変位されるべき分岐点Ｋの変位後の位置ｋ'は、本実施の形態においては、以下の式に基づいて決定される。
【数１】
2014219639.tif 000003
ここで、ｋは、変位されるべき分岐点Ｋの変位前の位置ベクトルであり、ｃ１、ｃ２、・・、ｃｎは、分岐点Ｋを始点とし、当該分岐点Ｋの周りの仮形成パターンで区画される各領域の中心点Ｃ１、Ｃ２、・・、Ｃｎを終点とするベクトルである。また。Ａは、０より大きく１以下の定数であり、ｒｎは、以下の式を満たす乱数である。
【数２】
2014219639.tif 000004
ここで、図９及び図１０を参照して、モアレ現象の発現を効果的に抑制するための、分岐点Ｋの最低変位範囲について説明する。図９は、モアレ現象の発現を効果的に抑制するための隔壁１２の平均的な最低変位範囲を説明するための図であり、図１０は、図９に示す距離だけ変位される隔壁１２を含むための、仮形成パターンの分岐点Ｋの最低変位範囲を説明するための図である。
【００６４】
まず、モアレ現象の発現を抑制する隔壁１２の平均的な最低変位範囲を考えるために、隔壁１２が互いに隣り合う画素電極１６１ａ及び１６１ｂの間の領域（画素電極間領域１６５）と重なり合う状態（図９（ａ）参照）から当該間隙と重なり合わない状態（図９（ｂ）参照）まで変位させるために必要な、隔壁１２の平均的な最低変位量について考える。具体的には、隔壁１２の線幅を等分する隔壁中心線ｌｗが、互いに隣り合う画素電極１６１ａ及び１６１ｂの間の画素電極間領域１６５の幅を等分する電極間中心線ｌｓと一致するような位置（図９（ａ）参照）から、隔壁１２の一方の画素電極１６１ｂ側の縁部が他方の画素電極１６１ａの画素電極間領域１６５側の縁部と一致するような位置（図９（ｂ））まで変位させることができるような、隔壁１２の変位量について考える。
【００６５】
隔壁１２の線幅がＷであり、画素電極間領域１６５の幅（互いに隣り合う画素電極１６１ａ及び１６１ｂの対向する縁部の距離）がＳであるとすると、隔壁１２の平均的な最低変位距離は、（Ｗ／２）＋（Ｓ／２）である。
【００６６】
仮形成パターンで形成される隔壁１２に対して変位量（Ｗ／２）＋（Ｓ／２）で変位される隔壁１２が存在するように最終の隔壁１２のパターンが形成されれば、モアレ現象の発現を効果的に抑制することができる。
【００６７】
次に、仮形成パターンで形成される隔壁１２に対して、変位量（Ｗ／２）＋（Ｓ／２）で変位される隔壁１２が存在するように最終の隔壁１２のパターンが形成されるためには、少なくとも、仮形成パターンの分岐点のうち最も大きく変位された分岐点Ｋが、当該分岐点Ｋを起点として延出される辺を隔壁中心線ｌｗとする隔壁１２を変位量（Ｗ／２）＋（Ｓ／２）だけ変位させるように変位される必要がある。
【００６８】
図１０を参照して、隔壁１２を変位量（Ｗ／２）＋（Ｓ／２）だけ変位させるために必要な分岐点Ｋの変位量について、説明する。隔壁１２が変位量（Ｗ／２）＋（Ｓ／２）だけ変位されるためには、分岐点Ｋは、基準パターンが正六角形のハニカムパターンである場合、図１０に示すように、当該分岐点Ｋから当該仮形成パターンによって区画される当該分岐点Ｋの周りの３つの領域の中心点Ｃ１、Ｃ２またはＣ３方向に、以下の式で表される距離
｛（Ｗ／２）＋（Ｓ／２）｝×２／√３
だけ離れた点Ｚｍｉｎ１、Ｚｍｉｎ２またはＺｍｉｎ３まで変位される必要がある。
【００６９】
したがって、点Ｚｍｉｎ１、Ｚｍｉｎ２、Ｚｍｉｎ３を結ぶ線Ｌｍｉｎが、モアレ現象の発現を効果的に抑制することができる分岐点Ｋの最小の変位範囲を画定する線である。
【００７０】
次に、図１１乃至図１３を参照して、隔壁１２に付着された接着剤２２１が毛細管現象によりセルの角部に侵入することを抑制するための、分岐点Ｋの位置の調節方法について説明する。
【００７１】
図１１は、１つの分岐点を起点として延出する隔壁１２によって当該分岐点の周囲に構成される角部のいずれもが９０度以上の角度を有している場合の、当該分岐点の周囲における隔壁１２への接着剤２２１の付着状況を説明するための図である。また、図１２は、１つの分岐点を起点として延出する隔壁１２によって当該分岐点の周囲に構成される角部のいずれかが９０度未満の角度を有している場合の、当該分岐点の周囲における隔壁１２への接着剤２２１の付着状況を説明するための図である。
【００７２】
分岐点の周囲のセルの角部のいずれもが９０度以上の角度を有している場合、図１１（ａ）及び図１１（ｂ）に示すように、後述する接着層形成工程において隔壁１２の頂面に付着された接着剤２２１は、いずれの角部にも侵入することなく、隔壁１２の頂面付近に留まることができる。一方、分岐点の周囲のセルの角部のいずれかが９０度未満の角度を有している場合、図１２（ａ）及び図１２（ｂ）に示すように、後述する接着層形成工程において隔壁１２の頂面に付着された接着剤２２１は、毛細管現象によって、９０度未満の角度を有する角部に侵入してしまうことがある。これにより、当該角部の周囲の隔壁１２に付着される接着剤２２１の量が多くなり、隔壁１２の頂面から接着剤２２１の頂部までの高さｈが、図１１（ｂ）に示す場合と比較して高くなってしまう。さらに、９０度未満の角度を有する角部には、表示媒体１３の粒子が詰まってしまうことがある。
【００７３】
セルの角部内に接着剤２２１が侵入したり表示媒体１３の粒子が詰まると、当該接着剤２２１や粒子が邪魔をして、当該角部内において反射率の変化を生じさせることができない。これにより、例えば、表示パネルの全面に黒色を表示した場合であっても、接着剤２２１が侵入した箇所は白いまま表示される。また、表示コントラストも低下してしまう。
【００７４】
また、前述のように、セルの角部内に接着剤２２１が侵入してしまうと、当該角部の付近の隔壁１２上には、接着剤２２１が高く盛られてしまう。このため、後の対向基板接着工程において他方の基板１６が接着層２２にラミネータ９１によって接着される時、隔壁１２上に高く盛られた接着剤２２１が邪魔をしてしまって、接着層２２の全面に十分な圧力が与えられず、接着層２２と他方の基板１６との間の接着強度が所望の程度以上にならない、という状況が生じることがある。
【００７５】
したがって、本実施の形態においては、最終の隔壁１２のパターンを形成後、角度確認工程において当該最終の隔壁１２のパターンの角部の角度をチェックし、角度が９０度未満の角部が存在する場合には、当該角部上の分岐点の位置を再度調節する。
【００７６】
図１３を参照して、角度確認工程における分岐点の位置の調節方法を説明する。本実施の形態においては、最終の隔壁１２のパターンの分岐点Ｋ'上の角部αの角度が９０度未満である場合、分岐点Ｋ'について、角部αの角度が９０度以上となるように変位させる。分岐点Ｋ'が変位されることに伴って、当該分岐点Ｋ'を起点として延出する各辺Ｋ'−Ｋ１'、Ｋ'−Ｋ２'、Ｋ'−Ｋ３'上の他の角部α１、α２、β、β２、β３、γ、γ１、γ３の角度も変化する。
【００７７】
分岐点Ｋ'を変位させた後、角部α１、α２、β、β２、β３、γ、γ１、γ３の角度をチェックし、当該角部のいずれかが９０度未満の場合には、再び分岐点Ｋ'を角部αの角度が９０度以上となるように変位させる。この操作を、角部α、α１、α２、β、β２、β３、γ、γ１、γ３の角部のいずれもが９０度以上になるまで繰り返す。この操作を所定回数繰り返しても角部α、α１、α２、β、β２、β３、γ、γ１、γ３の角部のいずれかが９０度以上にならない場合には、最終隔壁パターン形成工程を最初からやり直す。
【００７８】
次に、図１４乃至図１６を参照して、ザラツキムラの発生を効果的に抑制するための、分岐点Ｋの最大変位範囲、すなわち最大ランダム度について説明する。
【００７９】
まず、図１４を参照してザラツキムラの発生のメカニズムについて説明する。ザラツキムラは、表示媒体１３の濃度がセルによって大きく異なることに起因して生じる。表示媒体１３に含まれる粒子の粒径のバラツキが大きいと、表示媒体１３のセルへの封入方法によっては、表示媒体１３の濃度がセルによって大きく異なってしまうという現象が生じることがある。
【００８０】
本実施の形態においては、セル内に気泡を発生させないように表示媒体１３を当該セル内に封入するために、後述の表示媒体配置工程において、セルの容積を超える量の表示媒体１３を一方の基板１１上に配置し、後述の対向基板配置工程において、図１４に示すように、基板１１，１６の一方の縁部から当該縁部に対向する他方の縁部に向けて（図１４のセルＡからセルＢの方向に）セルから余剰の表示媒体１３を追い出しながら、他方の基板１６が、一方の基板１１の隔壁１２の頂面上にラミネートされて貼り合わされる。この時、セルＡの余剰の表示媒体１３がセルＡとセルＢとの間の隔壁１２を乗り越えてセルＢの方向へ流れるが、当該隔壁１２の頂面と他方の基板１６との距離がある程度以下になると、粒径の大きな粒子は当該隔壁１２の頂面と他方の基板１６との間を通過することができなくなってしまい、セルＡからセルＢに流れる表示媒体１３の粒子濃度は、平均的な粒子濃度より低くなる。これにより、セルＡ内の表示媒体１３の濃度が変化する。
【００８１】
セルＡにおける表示媒体１３の濃度変化は、セルＡの容積、したがってセル面積が小さいほど大きい。また、セル間の表示媒体１３の濃度の違いが大きいほど、セル間の反射率や色変化速度などの違いが大きい。
【００８２】
以上より、セル面積のバラツキが大きい表示パネルでは、図１５に示すようにセル毎の表示の濃淡のバラツキが大きくなってしまって、ザラツキムラが発生してしまうことがある。
【００８３】
本件の明細書及び特許請求の範囲においては、セル面積のバラツキの大きさは、図１６を参照して、以下の式で表されるセル面積分布率により表される。  
セル面積分布率（％）＝｛（Ｓ２−Ｓ１）／Ｓａ｝×１００
ここで、Ｓａは、セル面積の最頻値であり、Ｓ１は、セル面積Ｓａより小さく、セル面積Ｓａを有するセルの数をＮとした場合に、セル面積Ｓ１を有するセルの数がＮ／２となるようなセル面積であり、Ｓ２は、セル面積Ｓａより大きく、セル面積Ｓ２を有するセルの数がＮ／２となるようなセル面積である。
【００８４】
そして、セル面積分布率は、本実施の形態においては、仮形成パターンの分岐点Ｋの変位範囲、すなわちランダム度、に依存する。図８からも分かるように、例えばランダム度が３０％の場合とランダム度が９０％の場合とを比較すると、ランダム度が９０％の場合の方がセル面積のバラツキが大きい。したがって、セル面積分布率は、ランダム度を制御することにより制御され得る。
【００８５】
ここで、本件発明者の知見によれば、セル面積分布率が３８．４％未満であれば、ザラツキムラの発生が十分に抑制される。本実施の形態においては、ランダム度が７０％未満であれば、セル面積分布率は、３８．４％未満となる。
【００８６】
最終の隔壁１２のパターンの角部のいずれもが９０度以上であることを確認し、また、必要に応じて、当該最終の隔壁１２のパターンのセル面積分布率が３８．４％未満であることを確認した後、最終の隔壁１２のパターンを構成する線を、隔壁１２の線幅を等分する隔壁中心線ｌｗとして、隔壁１２の輪郭線を決定する。すなわち、図１７に示すように、最終の隔壁のパターンの分岐点Ｋ'及びＫ１'を結ぶ隔壁中心線ｌｗ１に平行な線であって隔壁中心線ｌｗ１から一方の側にＷ／２（隔壁１２の線幅の半分の距離）だけ離れた線ｌｗ１ａが、隔壁１２の当該一方の側の輪郭線として決定される。同様に、最終の隔壁１２のパターンの分岐点Ｋ'及びＫ２'を結ぶ隔壁中心線ｌｗ２に平行な線であって隔壁中心線ｌｗ２から当該一方の側にＷ／２だけ離れた線ｌｗ２ａが、隔壁１２の当該一方の輪郭線として決定される。そして、線ｌｗ１ａと線ｌｗ２ａとの交点Ｋ'ａが、当該一方の側のセルの頂点として決定される。図１８及び図１９は、本実施の形態の隔壁形成工程によって実際に形成された隔壁１２を示す平面図である。
【００８７】
セルの開口率は、７０％以上が好ましく、特に９０％以上が好ましい。高開口率であるほど、表示可能エリアが広くなるため、高コントラストを得ることができる。
【００８８】
次に、隔壁１２上に接着層２２が形成される（接着層形成工程：図３の工程（２））。この接着層形成工程では、例えば転写法や印刷法により、ポリエステル系熱可塑性接着剤のような熱可塑性樹脂が、１μｍ〜１００μｍの厚みで形成される。好ましくは、１μｍ〜５０μｍの厚みで形成され、特に好ましくは、１μｍ〜２０μｍの厚みで形成される。
【００８９】
転写法として典型的な熱転写法の一例について具体的な説明を補足すれば、図２０に示すように、例えば基材２１としてのＰＥＴフィルム上に２０μｍの厚みでポリエステル系熱可塑性接着剤のような接着剤２２１を形成した転写シート２０を用意する。次に、この転写シート２０を、接着剤２２１の面が一方の基板１１の隔壁１２の頂面上に配置されるように、一方の基板１１と対向して配置する。この状態で、一方の基板１１と転写シート２０とを、常温で１ｋＰａの圧力でラミネートする。ラミネートの後で、一方の基板１１を、一方の基板１１側の隔壁１２の端部が一方の基板１１とは反対の側の当該隔壁１２の頂面よりも高い位置となるように向けられた状態にして、一方の基板１１と転写シート２０とを接着剤の軟化温度以上の温度で一方の基板１１と転写シート２０とを１分間加熱する。これにより、隔壁１２上に接着層２２が形成される。
【００９０】
接着層２２を形成するための接着剤２２１としては、熱可塑性材料を用いた接着剤が好ましく、加熱により軟化して、冷却すると固化する性質を有し、冷却と加熱を繰り返した場合に、塑性が可逆的に保たれる材料である。
【００９１】
熱可塑性材料からなる接着剤を接着層として用いた場合には、転写シート基材上の固化している接着剤をその軟化温度を超える温度にまで加熱することにより軟化させて、隔壁上面のみに確実に接着剤を熱転写することもできる。また、熱転写後の接着剤は常温まで冷却して再び固化することにより、タック、すなわちねばつきが無くなるため、取り扱いの便宜が極めて良い。また、タック、すなわちねばつきが無いことによって、セル内に充填された表示媒体が接着剤と接着してしまうことがない。そして、再び隔壁頂面の接着剤をその軟化温度を超える温度にまで加熱して軟化させることにより、タック、すなわちねばつきを有するようになるため、他方の基板に確実に接着される。他方の基板との接着後の接着剤は、再び常温においてはタック、すなわちねばつきが無いため、やはり表示媒体が接着剤と接着してしまうことがなく、表示品質の低下のおそれもない。
【００９２】
具体的には、エチレン−酢酸ビニル共重合体、ポリエステル、ポリアミド、ポリオレフィン、ポリウレタンなどの熱可塑性ベースポリマーや、天然ゴム、スチレン−ブタジエンブロック共重合体、スチレン−イソプレンブロック共重合体、スチレン−エチレン−ブチレン−スチレンブロック共重合体、スチレン−エチレン−プロピレン−スチレン共重合体などの熱可塑性エラストマーを主成分とし、粘着性付与樹脂や可塑剤を配合した樹脂が主に使用される。
【００９３】
隔壁１２と接着剤２２１との密着性を上げるために、隔壁１２に紫外線照射やプラズマ処理などにより表面処理が施されてもよいし、プライマーが形成されてもよい。あるいは、接着剤２２１の方にシランカップリング剤が添加されてもよい。
【００９４】
次に、一方の基板１１上に表示媒体としてのインキ１３が配置される（表示媒体配置工程：図３の工程（３））。図２１は、表示媒体配置工程の一例を概略的に示す図である。ここでは、（１）ディスペンサ３１あるいはインクジェット、ダイコートからインキ１３が滴下され（インキ滴下工程）、（２）アプリケータ３２あるいはドクターブレード、ドクターナイフ、中央スキージによって面内均一となるようにインキ１３が塗布される（インキ塗布工程）。なお、インキ１３は、一方の基板１６上に配置されてもよい。
【００９５】
表示媒体１３としては、少なくとも１種以上の電気応答性材料を含む表示媒体が用いられ得る。電気応答性材料としては、電荷粒子材料、液晶材料があり、電荷粒子材料には白や黒、カラーなどの色づけされた粒子が電場に応答して移動するいわゆる電気泳動材料、または、粒子が二色に色分けされ電場により回転するツイストボールに代表される材料、または、電場により移動するナノ粒子材料等がある。一方、液晶材料は、ＰＤＬＣ（Ｐｏｌｙｍｅｒ  Ｄｉｓｐｅｒｓｅｄ  Ｌｉｑｕｉｄ  Ｃｒｙｓｔａｌ）で知られる透過と散乱を電気的に制御する材料や、液晶に色素を混合した材料、コレステリック液晶材料などがある。これらの電気応答性を有し光学特性を変化させる材料は、種類を問わずセルに隔離する必要があり、本発明の適用対象である。
【００９６】
図３に戻って、表示媒体配置工程の後で、導電性ペースト塗布工程が実施される（導電性ペースト塗布工程：図３の工程（４））。図２２は、導電性ペーストの機能を説明するための概略図である。導電性ペースト１４は、例えば銀ペーストのような金属ペーストであり、例えばディスペンサ４１あるいはインクジェット、タンポ印刷、パット印刷、スタッピング印刷によって所定位置に塗布される。導電性ペースト１４は、図２２に示すように、他方の基板１６に電圧をかけるための配線として機能する。一方の基板１１の電極パターンと他方の基板１６の電極パターンとの間に所定の電界（電圧）が与えられる際、表示媒体であるインキ１３中の電気応答性材料が駆動され、文字パターン等の所望の情報が表示される。その後、電界が与えられなくなっても、新たな電界が両基板間に与えられるまで、当該情報表示状態が維持される。
【００９７】
その後、隔壁１２上の接着層２２と一方の基板１１に対して対向する他方の基板１６とが、隔壁１２内のセル容積を超える余剰のインクを押し出しながら接着される（対向基板接着工程：図３の工程（５））。これにより、表示媒体（インキ１３）が各セル内に封止される。
【００９８】
対向基板接着工程は、図２３に示すように、接着層２２として転写された接着剤２２１を加熱させて接着力を得るようになっている。具体的には、ラミネータ９１によって所定の熱圧着圧力（ラミネート圧力）を付与しながら、接着剤２２１を周辺からその軟化温度を超える温度にまで加熱して軟化させることによって、隔壁１２と他方の基板１６とを接着する。もっとも、他の熱圧着の態様が採用されてもよい。
【００９９】
更に、本実施の形態では、ラミネータ９１による接着の後で、さらに両基板１１、１６の四辺（周辺部）を熱圧着する四辺熱圧着工程が実施される。具体的には、両基板１１、１６の四辺（周辺部）の下方にホットプレート９２を敷いておいて、両基板１１、１６の四辺部を内側から外側に金属片９３でラミネート圧を加えることで実施される。
【０１００】
その後、図３に示すように、ギロチン、上刃スライド装置、レーザカット装置、レーザーカッター等の断裁装置５１によって所定のサイズに断裁され（断裁工程：図３の工程（６））、所望の反射型表示装置の製造が完了する。
【０１０１】
本実施の形態によれば、隔壁１２のパターンの一部の分岐点は、周期性を有する基準パターンの分岐点と比較して、当該基準パターンの分岐点とは異なる位置にあり、当該分岐点の周囲において隔壁１２によって囲まれるセルの形状が、基準パターンの単位パターンの形状とは異なっている。したがって、モアレ現象の発現が抑制され得る。また、セルの角部は、いずれも９０度以上の角度を有している。このため、セルの角部内に、隔壁１２上に付着された接着剤２２１が毛細管現象によって侵入してしまったり、表示媒体１３の粒子が詰まってしまって、点状の表示欠損を生じさせてしまったり、表示コントラストを低下させてしまう、ということが抑制される。また、セルの角部内への接着剤２２１の侵入が抑制されるため、一部の隔壁１２上に接着剤２２１が厚く盛られることが抑制され、接着層２２と基板１６との接着強度が所望の程度以上にならない、という状況が生じることも抑制される。
【０１０２】
例えば、仮形成された隔壁のパターンの分岐点Ｋの変位範囲をランダム度が７０％未満となる範囲にすれば、セルの面積分布率が３８．４％未満となり、隔壁１２によって区画されるセルのセル面積のバラツキが十分に小さくなる。このため、表示媒体１３に含まれる粒子の粒径のバラツキが大きく、当該表示媒体のセル内への封入が例えば図１４に示すようにセル容積を超える表示媒体を追い出しながら隔壁１２の頂面上に基板をラミネートすることにより行われても、ザラツキムラが生じることがない。
【０１０３】
また、単位パターンで囲まれる領域は、正六角形である。したがって、仮形成された隔壁１２のパターンの分岐点の変位範囲を調節することにより、隔壁１２により区画されるセル面積のバラツキを所望の程度に制御する、ということが容易である。
【０１０４】
また、隔壁形成工程において、仮形成された隔壁１２のパターンの少なくとも一部の分岐点Ｋについて、当該分岐点Ｋを起点として延出する各隔壁１２方向に当該隔壁１２の延出長さの１／２の所定倍を最大変位として規定される領域内で非周期的に変位させて、最終の隔壁１２のパターンを形成する。したがって、最終の隔壁１２のパターンの一部の分岐点は、周期性を有する基準パターンの分岐点とは異なる位置に非周期的に変位され、隔壁１２によって囲まれるセルの形状をランダムな形状とすることができる。したがって、モアレ現象の発現が極めて効果的に抑制され得る。
【０１０５】
＜反射型表示装置の製造方法２＞
図２４は、本発明の第２の実施の形態による反射型表示装置の製造方法における隔壁１２の最終パターンの形成方法を説明するための図である。
【０１０６】
本実施の形態における反射型表示装置の製造方法は、第１の実施の形態による反射型表示装置の製造方法に対して、隔壁形成工程における隔壁１２の最終隔壁パターン形成工程が異なるのみであり、その他の工程は、略同一である。
【０１０７】
図２４を参照して、本実施の形態における最終隔壁パターン形成工程について、説明する。まず、隔壁１２のパターンを、同一形状の単位パターンを規則的に配列したパターンを基準パターンとして仮形成する。本実施の形態においては、基準パターンは、図６（ａ）に示す正六角形のハニカムパターンである。基準パターンのピッチは、３００μｍである。
【０１０８】
次に、基準パターンに対応するピッチを有する格子パターンを準備する。本実施の形態では、当該格子パターンは、正方格子パターンである。次に、当該正方格子パターンの各格子点と、仮形成パターンの各分岐点と、を関連づける。そして、正方格子パターンの各行ないし各列を当該行の方向ないし列の方向に拡大ないし縮小させることにより当該正方格子パターンの格子点を移動させると共に、当該格子点の移動に対応させて当該格子点に関連づけられた各分岐点をも移動させる。このようにして、基準パターンから最終の隔壁１２のパターンが、形成される。
【０１０９】
本実施の形態では、正方格子パターンの図２４のｘ軸方向（行方向）の拡大ないし縮小は、当該正方格子パターンの拡大ないし縮小後において、ｘ＝ｘｎで表される格子線と、当該格子線の隣の格子線であってｘ＝ｘｎ＋１で表される格子線と、の間隔ｐｘｎが、以下の式を満たすように非周期的になされる。  
ｐｘｎ＝Ｐ＋Ｖ×Ｒ
ここで、Ｐは、正方格子パターンのピッチであり、Ｖは、各格子線の最大変位範囲であり、Ｒは、−１＜Ｒ＜１を満たす乱数である。
【０１１０】
同様に、正方格子パターンの図２４のｙ軸方向（列方向）の拡大ないし縮小は、当該正方格子パターンの拡大ないし縮小後において、ｙ＝ｙｎで表される格子線と、当該格子線の隣の格子線であってｙ＝ｙｎ＋１で表される格子線と、の間隔ｐｙｎが、以下の式を満たすように非周期的になされる。  
ｐｙｎ＝Ｐ＋Ｖ×Ｒ
【０１１１】
本実施の形態では、正方格子パターンのピッチＰを３００μｍとし、格子線の最大変位Ｖを５０μｍとする。
【０１１２】
ここで、格子パターンの拡大ないし縮小が非周期的になされるというのは、要するに、拡大ないし縮小後の格子パターンの格子線が、画素電極の周期的なパターンに対してモアレ現象を発生させないような間隔で配列されるように、格子パターンの拡大ないし縮小がなされることを意味する。格子線の間隔の変化の仕方については、周期性があってもよいし、周期性が無くてもよい。
【０１１３】
次に、このようにして行方向ないし列方向に拡大ないし縮小された正方格子パターンの格子点の移動に対応させて、仮形成パターンの分岐点が変位される。
【０１１４】
例えば、図２４に示すように、図６（ａ）の分岐点Ｋ６が格子点ｐ４３及びｐ５３に関連付けられ、格子点ｐ４３及びｐ５３の変位後の位置ベクトルがそれぞれ（ｘ３，ｙ４）及び（ｘ３，ｙ５）である場合、当該分岐点Ｋ６の変位後の点Ｋ６'の位置ベクトル（図２４の点Ｋ６'の位置ベクトル）は、（ｘ３，ｙａ）となるように変位される。ここで、ｙａは、
（ｙ５−ｙａ）：（ｙａ−ｙ４）＝√３：１
を満たす値である。
【０１１５】
また、図６（ａ）の分岐点Ｋ２が格子点ｐ５２及びｐ５３に関連付けられ、格子点ｐ５２の変位後の位置ベクトルがそれぞれ（ｘ２，ｙ５）及び（ｘ３，ｙ５）である場合、当該分岐点Ｋ２の変位後の位置ベクトル（図２４の点Ｋ２'の位置ベクトル）が（（ｘ２＋ｘ３）／２，ｙｂ）となるように変位される。ここで、ｙｂは、
（ｙ５−ｙｂ）：（ｙｂ−ｙ４）＝１：２
を満たす値である。
【０１１６】
最終隔壁パターン形成工程の後、最終の隔壁１２のパターンの角部の角度をチェックする（角度確認工程）。角度が９０度未満の角部が存在する場合には、当該角部上の分岐点の位置を、図１３に示す方法と同様の方法で調節する。
【０１１７】
あるいは、正方格子パターンの格子線の最大変位範囲Ｖの大きさを変更して、最終隔壁パターン形成工程を最初からやり直す。この操作を、最終の隔壁１２のパターンの角部の角度がいずれも９０度以上になるまで繰り返す。
【０１１８】
また、本実施の形態の場合、最終の隔壁１２のパターンのセル面積分布率は、基準パターンに対応する正方格子パターンの格子線の最大変位範囲Ｖの大きさに依存する。したがって、必要であれば、このようにして得られた最終の隔壁１２のパターンについてセル面積分布率を計算し、セル面積分布率が３８．４％以上の場合には、最大変位範囲Ｖを小さくして、再度、隔壁１２のパターンの形成を行う。
【０１１９】
本実施の形態によれば、隔壁１２のパターンは、基準パターンの周期性が乱されるように変形されたパターンである。したがって、モアレ現象の発現が抑制され得る。また、格子パターンの行方向ないし列方向の拡大ないし縮小の程度を調節することにより、隔壁１２により区画されるセル面積のバラツキを所望の程度に制御する、ということが可能である。また、セルの角部は、いずれも９０度以上の角度を有している。このため、セルの角部内に、隔壁１２上に付着された接着剤２２１が毛細管現象によって侵入してしまったり、表示媒体１３の粒子が詰まってしまって、点状の表示欠損を生じさせてしまったり、表示コントラストを低下させてしまう、ということが抑制される。また、セルの角部内への接着剤２２１の侵入が抑制されるため、一部の隔壁１２上に接着剤２２１が厚く盛られることが抑制され、接着層２２と基板１６との接着強度が所望の程度以上にならない、という状況が生じることも抑制される。
【０１２０】
例えば、正方格子パターンの行方向ないし列方向の拡大ないし縮小の程度を、セルの面積分布率が３８．４％未満となるようにすれば、表示媒体１３に含まれる粒子の粒径のバラツキが大きく、当該表示媒体１３のセル内への封入が例えば図１４に示すようにセル容積を超える表示媒体１３を追い出しながら隔壁１２の頂面上に基板１６をラミネートすることにより行われても、ザラツキムラが生じることがない。
【０１２１】
また、単位パターンで囲まれる領域は、正六角形である。このため、仮形成された隔壁１２のパターンの分岐点の変位範囲を調節することにより、隔壁１２により区画されるセル面積のバラツキを所望の程度に制御する、ということが容易である。
【０１２２】
また、本実施の形態においては、最終の隔壁１２のパターンは、最終の隔壁１２のパターンは、基準パターンの周期性が非周期的に乱されたパターンである。したがって、モアレ現象の発現が効果的に抑制され得る。
【０１２３】
＜反射型表示装置の製造方法３＞
本実施の形態における反射型表示装置に製造方法は、第１及び第２の実施の形態による反射型表示装置の製造方法に対して、隔壁形成工程における隔壁１２の最終隔壁パターン形成工程が異なるのみであり、その他の工程は、略同一である。
【０１２４】
本実施の形態における最終隔壁パターン形成工程について、説明する。まず、隔壁１２のパターンを、同一形状の単位パターンを規則的に配列したパターンを第１基準パターンとして仮形成する。本実施の形態においては、第１基準パターンは、図６（ａ）に示す正六角形のハニカムパターンである。基準パターンのピッチは、３００μｍである。
【０１２５】
次に、図２４に示す第２の実施形態と同様に、仮形成パターンの各分岐点と、第１基準パターンに対応するピッチを有する正方格子パターンの各格子点と、を関連づけ、正方格子パターンの各行ないし各列を当該行の方向ないし列の方向にランダムに拡大ないし縮小させることにより当該正方格子パターンの格子点を移動させると共に、当該格子点の移動に対応させて当該格子点に関連づけられた各分岐点をも移動させる。これにより得られたパターンを第２基準パターンとして、隔壁１２のパターンを再度仮形成する。
【０１２６】
その後、再度仮形成されたパターンの各分岐点を、図６（ａ）に示す第１の実施の形態と同様の方法で、すなわち当該分岐点を起点として延出する再度仮形成された隔壁１２のパターンの各辺の方向に当該辺の延出長さの１／２の所定倍を最大変位として規定される領域内でランダムに移動させることにより、最終の隔壁１２のパターンを形成する。
【０１２７】
最終隔壁パターン形成工程の後、最終の隔壁１２のパターンの角部の角度をチェックする（角度確認工程）。角度が９０度未満の角部が存在する場合には、当該角部上の分岐点の位置を、図１３に示す方法と同様の方法で調節する。
【０１２８】
あるいは、正方格子パターンの格子線の最大変位範囲Ｖの大きさないし分岐点Ｋの変位範囲（Ａの値）を変更して、最終隔壁パターン形成工程を最初からやり直す。この操作を、最終の隔壁１２のパターンの角部の角度がいずれも９０度以上になるまで繰り返す。
【０１２９】
本実施の形態の場合、最終の隔壁１２のパターンのセル面積分布率は、基準パターンに対応する正方格子パターンの格子線の最大変位範囲Ｖの大きさ及び分岐点Ｋの変位範囲（Ａの値）に依存する。したがって、必要であれば、このようにして得られた最終の隔壁１２のパターンについてセル面積分布率を計算し、セル面積分布率が３８．４％以上の場合には、最大変位範囲Ｖを小さくして、再度、隔壁１２のパターンの形成を行う。
【０１３０】
本実施の形態によれば、隔壁１２のパターンは、基準パターンの周期性が乱されるように変形されたパターンである。したがって、モアレ現象の発現が抑制され得る。また、セルの角部は、いずれも９０度以上の角度を有している。このため、セルの角部内に、隔壁１２上に付着された接着剤２２１が毛細管現象によって侵入してしまったり、表示媒体１３の粒子が詰まってしまって、点状の表示欠損を生じさせてしまったり、表示コントラストを低下させてしまう、ということが抑制される。また、セルの角部内への接着剤２２１の侵入が抑制されるため、一部の隔壁１２上に接着剤が厚く盛られることが抑制され、接着層２２と基板１６との接着強度が所望の程度以上にならない、という状況が生じることも抑制される。
【０１３１】
例えば、正方格子パターンの行方向ないし列方向の拡大ないし縮小の程度、ないし、再度仮形成された隔壁１２のパターンの分岐点Ｋの変位範囲を、セルの面積分布率が３８．４％未満となるようにすれば、表示媒体１３に含まれる粒子の粒径のバラツキが大きく、当該表示媒体１３のセル内への封入が例えば図１４に示すようにセル容積を超える表示媒体１３を追い出しながら隔壁１２の頂面上に基板１６をラミネートすることにより行われても、ザラツキムラが生じることがない。
【０１３２】
また、単位パターンで囲まれる領域は、正六角形である。このため、正方格子パターンの行方向ないし列方向の拡大ないし縮小の程度、ないし、再度仮形成された隔壁１２のパターンの分岐点の変位範囲を調節することにより、隔壁１２により区画されるセル面積のバラツキを所望の程度に制御する、ということが容易である。
【０１３３】
本実施の形態では、第２基準パターンは、第１基準パターンの周期性がランダムに乱されるように変形されたパターンである。そして、最終の隔壁１２のパターンの一部の分岐点は、第２基準パターンの分岐点とは異なる位置に非周期的に変位され、隔壁１２によって囲まれるセルの形状を非周期的な形状にされる。したがって、モアレ現象の発現が極めて効果的に抑制され得る。
【０１３４】
次に、実際に行われた実施例について説明する。
【０１３５】
＜反射型表示装置の実施例＞
＜実施例１＞
一方の基板１１として、３００ｍｍ×４００ｍｍ×厚さ０．１ｍｍのＰＥＴ基板（東洋紡Ａ４１００）の一方の面に透明電極として酸化インジウムスズ（ＩＴＯ）蒸着膜（厚さ０．２μｍ）が設けられた基板が用意された。透明電極は、スパッタリング、真空蒸着法、ＣＶＤ法などの一般的な成膜方法によって形成され、酸化インジウムスズ（ＩＴＯ）の他に、酸化亜鉛（ＺｎＯ）、酸化スズ（ＳｎＯ）等によっても形成され得る。
【０１３６】
次に、隔壁１２のパターンとして角部のいずれもが９０度以上であり、セル面積分布率が１６．８％のパターンが形成され、当該隔壁１２のパターンに基づいて、一方の基板１１上に隔壁１２が形成された。具体的には、当該一方の基板１１に、ネガ型感光性樹脂材料（デュポンＭＲＣドライフィルムレジスト（株）製のドライフィルムレジスト）を２０μｍの厚さにラミネートして１００℃、１分間の条件で加熱し、次いで露光マスクを使用して露光（露光量５００ｍＪ／ｃｍ２）し、その後、１％ＫＯＨ水溶液を用いた現像を３０秒行い、２００℃、６０分間の条件で焼成することで、線幅が２０μｍで、セルの角部の角度のいずれもが９０度以上の隔壁１２が形成された。
【０１３７】
そして、転写フィルム基材２１として厚さ５０μｍのポリエチレンテレフタレート（ＰＥＴ）フィルム２１（帝人・デュポン社製）が用いられ、これにヒートシール剤２２１（東洋紡製バイロン６３０）が厚さ２０μｍでダイコーダにて塗布され、乾燥された。これにより、１０μｍの接着層を有するロール状の転写シート２０が作製された。なお、ヒートシール剤２２１の軟化温度は約１１０℃であった。
【０１３８】
そして、転写フィルム２０の上に、一方の基板１１が、その隔壁１２が形成されている側の面を下にした状態で載せられ、この状態で、１ｋＰａ程度の押圧力で常温でラミネートされた。その後、ヒートシール剤２２１の周辺がその軟化温度を超える温度、例えば１３０℃程度にまで加熱され、その状態で一方の基板１１が、転写フィルム２０から剥離された。その結果、ヒートシール剤２２１が隔壁１２の頂面の全面に熱転写された。隔壁１２の頂面からヒートシール剤２２１の頭頂部までの高さは、約７μｍであった。
【０１３９】
続いて、表示媒体として、以下の成分を有するインキ１３が用いられ、ディスペンサ３１から滴下されて、中央スキージ３２（ニューロング製のスキージ１：ウレタン樹脂製）にてスキージ処理されて、各セル内に充填された。基板幅方向にはみ出した余剰インキは、別の両端スキージ３３ａ、３３ｂ（ニューロング製のスキージ２：ウレタン樹脂製）にて掻き取られ、さらにロールワイパ３４にて拭き取られた。
【０１４０】
＜インキ成分＞
・電気泳動粒子（二酸化チタン）・・・６０重量部
・分散液                     ・・・４０重量部
【０１４１】
続いて、隔壁パターン外周の一部（２ｍｍ×２ｍｍの正方形領域）に、銀ペースト（藤倉化成製）がディスペンサ４１によって点塗布された。
【０１４２】
次いで、他方の基板１６として、３００ｍｍ×４００ｍｍ×厚さ０．５ｍｍの無アルカリガラス（日本電気硝子製ＯＡ−１０Ｇ）の一方の面に、２００μｍ×２００μｍの正方形電極が６００個×８００個、行列方向に整列されて成るアモルファスＴＦＴアクティブマトリックスが設けられた基板が用意された。アモルファスＴＦＴアクティブマトリックスは、液晶ディスプレイなどで一般的に用いられているものであり、正方形電極の材質は、アルミニウムであった。
【０１４３】
そして、大気中にて、一方の基板１１の隔壁１２上の接着層２２の上に他方の基板１６を重ね合わせて、ラミネータ９１で一定の熱圧着圧力をさらに付与しつつ、隔壁１２内のセル容積を超える余剰のインクを押し出しながら、一方の基板１１の隔壁１２と他方の基板１６とが密着された。
【０１４４】
熱圧着時の温度は、ヒートシール剤２２１の軟化点または融点付近の温度であって、インクの蒸発が促進しない温度が好ましく、８０℃〜１５０℃、好ましくは８０℃〜９０℃であり、本実施例では８０℃であった。また、熱圧着圧力は、０．０１ＭＰａ〜０．７ＭＰａが好ましく、特には０．１ＭＰａ〜０．４ＭＰａが好ましく、本実施例では０．３ＭＰａであった。
【０１４５】
その後、断裁装置５１によって所定のサイズに断裁され、両方の基板１１，１６の周辺にディスペンサ（不図示）を用いて紫外線硬化樹脂（イー・エッチ・シー（株）製：ＬＣＢ−６１０）を塗工して封止し、紫外線を露光（露光量７００ｍＪ／ｃｍ２  ）して硬化させた（外周封止処理）。以上により表示パネルが作製された。
【０１４６】
以上のようにして得られた表示パネルについて表示品質を評価したが、モアレ現象によるムラはなく、点状の表示欠陥やザラツキムラの発生もなく、表示品質は良好であった。
【０１４７】
＜比較例１＞
前記実施例１に対して、隔壁１２のパターンとして角度９０度未満の角部を有し、セル面積分布率が４８．５％のパターンを形成し、その他は同じ工程で、９０度未満の角度の角部を有するセルが存在する表示パネルを作製した。
【０１４８】
以上の様にして得られた表示パネルについて表示品質を評価したが、画面上に表示が変化しない点在し、コントラストも低下し、ザラツキムラも発生した。また、セルの角部を観察したところ、角度が９０度未満の角部において、接着剤２２１の侵入が確認された。
【符号の説明】
【０１４９】
１１  一方の基板
１２  隔壁
１３  インキ（表示媒体）
１４  導電性ペースト
１６  他方の基板
１６１  画素電極
１６１ａ  画素電極
１６１ｂ  画素電極
１６５  画素電極間領域
２０  転写シート
２１  ＰＥＴフィルム
２２  接着層
２２１  ヒートシール剤
３１  ディスペンサ
３２  アプリケータ
３３ａ  スキージ
３３ｂ  スキージ
３４  ロールワイパ
５１  断裁装置
９１  ラミネータ
９２  ホットプレート
９３  金属片
【図１】
2014219639.tif 000005
【図２】
2014219639.tif 000006
【図３】
2014219639.tif 000007
【図４】
2014219639.tif 000008
【図５】
2014219639.tif 000009
【図６】
2014219639.tif 000010
【図７】
2014219639.tif 000011
【図８】
2014219639.tif 000012
【図９】
2014219639.tif 000013
【図１０】
2014219639.tif 000014
【図１１】
2014219639.tif 000015
【図１２】
2014219639.tif 000016
【図１３】
2014219639.tif 000017
【図１４】
2014219639.tif 000018
【図１６】
2014219639.tif 000019
【図１７】
2014219639.tif 000020
【図１８】
2014219639.tif 000021
【図１９】
2014219639.tif 000022
【図２０】
2014219639.tif 000023
【図２１】
2014219639.tif 000024
【図２２】
2014219639.tif 000025
【図２３】
2014219639.tif 000026
【図２４】
2014219639.tif 000027
【図１５】
2014219639.tif 000028